【事件の表示】
　特許第３１９８７１２号「画像再生記録システム」の請求項１ないし８に係る特許に対する特許異議の申立てについて、次のとおり決定する。
【結　論】
　訂正を認める。
　特許第３１９８７１２号の請求項１ないし８に係る特許を維持する。
【理　由】
１．手続の経緯
　特許第３１９８７１２号の請求項１ないし８に係る発明についての出願は、平成５年３月１９日に特許出願され、平成１３年６月１５日にその発明について特許権の設定登録がされ、その後、その特許について、異議申立人有限会社オフィスアテナにより特許異議の申立がなされ、取消理由が通知され、その指定期間内である平成１４年６月２４日に訂正請求がなされたものである。
２．訂正の適否についての判断
（１）訂正の内容
　特許権者が求めている訂正の内容は、以下のとおりの訂正事項である。
　ａ．特許請求の範囲の減縮を目的として、特許請求の範囲の請求項１中の「予め記録されている画像データを読み出す読出手段」を、「予め記録されている
複数の台紙画像データから、選択された
複数の台紙画像データから選択された
読み出された画像データに基づく台紙画像に対する、撮像された画像のレイアウトが決定された状態で
台紙
　ｂ．特許請求の範囲の減縮を目的として、特許請求の範囲の請求項２中の「予め記録されている画像データを読み出す読出手段」を、「予め記録されている
複数の台紙画像データから、選択された
複数の台紙画像データから選択された
台紙
台紙
対する
のレイアウトを決定すべく
　ｃ．特許請求の範囲の減縮を目的として、特許請求の範囲の請求項３中の「予め記録されている画像データを読み出す読出手段」を、「予め記録されている
複数の台紙画像データから、選択された
複数の台紙画像データから選択された
読み出された画像データに基づく台紙画像に対する、撮像された画像のレイアウトが決定された状態で
台紙
　ｄ．特許請求の範囲の減縮を目的として、特許請求の範囲の請求項４中の「予め記録されている画像データを読み出す読出手段」を、「予め記録されている
複数の台紙画像データから、選択された
複数の台紙画像データから選択された
台紙
台紙
に対する
のレイアウトを決定すべく
　ｅ．特許請求の範囲の減縮を目的として、特許請求の範囲の請求項５中の「予め記録されている画像データを読み出す読出手段」を、「予め記録されている
複数の台紙画像データから、選択された
複数の台紙画像データから選択された
読み出された画像データに基づく台紙画像に対する、撮像された画像のレイアウトが決定された状態で、
台紙
台紙
　ｆ．特許請求の範囲の減縮を目的として、特許請求の範囲の請求項６中の「予め記録されている画像データを読み出す読出手段」を、「予め記録されている
複数の台紙画像データから、選択された
複数の台紙画像データから選択された
台紙
台紙
に対する
のレイアウトを決定すべく
　ｇ．特許請求の範囲の減縮を目的として、特許請求の範囲の請求項７中の「予め記録されている画像データを読み出す読出手段」を、「予め記録されている
複数の台紙画像データから、選択された
複数の台紙画像データから選択された
読み出された画像データに基づく台紙画像に対する、撮像された画像のレイアウトが決定された状態で
台紙
台紙
　ｈ．特許請求の範囲の減縮を目的として、特許請求の範囲の請求項８中の「予め記録されている画像データを読み出す読出手段」を、「予め記録されている
複数の台紙画像データから、選択された
複数の台紙画像データから選択された
台紙
台紙
に対する
のレイアウトを決定すべく
（２）訂正の目的の適否、新規事項の有無及び拡張・変更の存否
　以下、上記訂正事項ａ〜ｈについて検討する。
　上記訂正事項ａは、特許明細書の段落【００４１】ないし【００５６】の記載に基づいて、特許明細書の請求項１の「画像データ」を「複数の台紙画像データから、選択された画像データ」と限定し、さらに「制御手段」を「読み出された画像データに基づく台紙画像に対する、撮像された画像のレイアウトが決定された状態で、」と限定したものであるので、特許請求の範囲の減縮を目的とする訂正に該当する。
　上記訂正事項ｂは、特許明細書の段落【００４１】ないし【００５６】の記載に基づいて、特許明細書の請求項２の「画像データ」を「複数の台紙画像データから、選択された画像データ」と限定し、かつ「位置」を「レイアウトを決定すべく位置」と限定したものであるので、特許請求の範囲の減縮を目的とする訂正に該当する。　
　上記訂正事項ｃ、ｅ、ｇは、上記訂正事項ａと同様、特許請求の範囲を限定するものであり、特許請求の範囲の減縮を目的とする訂正に該当する。
　上記訂正事項ｄ、ｆ、ｈは、上記訂正事項ｂと同様、特許請求の範囲を限定するものであり、特許請求の範囲の減縮を目的とする訂正に該当する。
　そして、上記訂正事項は、いずれも特許明細書に記載されている事項の範囲内のものであり、新規事項の追加に該当せず、また実質上特許請求の範囲を拡張し、又は変更するものでもない。
（３）以上のとおりであるから、上記訂正は、特許法第１２０条の４第３項で準用する第１２６条第２項及び第３項の規定に適合するので、当該訂正を認める。
３．特許異議の申立てについての判断
（１）申立の理由の概要
　異議申立人有限会社オフィスアテナは、証拠として、
甲第１号証：実願平２−７８８４０号（実開平４−３６３７７号）のマイクロフィルム（以下「刊行物１」という。）
甲第２号証：特開平４−３６３７６９号公報（以下「刊行物２」という。）
甲第３号証：特開平４−３１００８６号公報（以下「刊行物３」という。）
甲第４号証：特開平３−１３９０６４号公報（以下「刊行物４」という。）甲第５号証：特開昭６２−１２６４７３号公報（以下「刊行物５」という。）  　　　　
を提出し、特許請求の範囲の請求項１ないし８に係る発明についての特許は、特許法第２９条第２項の規定に違反してなされたものであるから、特許を取り消すべき旨、主張している。
（２）本件発明
　上記訂正請求により訂正された訂正明細書の特許請求の範囲の請求項１ないし８に係る発明（以下、それぞれ「本件発明１ないし８」という。）は、その請求項１ないし８に記載された次のとおりのものである。
「【請求項１】撮像された画像を再生し、記録媒体に記録する画像記録システムであって、予め記録されている
複数の台紙画像データから、選択された
複数の台紙画像データから選択された
読み出された画像データに基づく台紙画像に対する、撮像された画像のレイアウトが決定された状態で、
台紙
【請求項２】撮像された画像を再生し、記録媒体に記録する画像記録システムであって、予め記録されている
複数の台紙画像データから、選択された
複数の台紙画像データから選択された
台紙
台紙
対する
のレイアウトを決定すべく
【請求項３】撮像された画像を再生する画像再生システムであって、予め記録されている
複数の台紙画像データから、選択された
複数の台紙画像データから選択された
読み出された画像データに基づく台紙画像に対する、撮像された画像のレイアウトが決定された状態で
台紙
【請求項４】撮像された画像を再生する画像再生システムであって、予め記録されている
複数の台紙画像データから、選択された
複数の台紙画像データから選択された
台紙
台紙
に対する
のレイアウトを決定すべく
【請求項５】撮像された画像を再生し、記録媒体に記録する画像処理装置であって、予め記録されている
複数の台紙画像データから、選択された
複数の台紙画像データから選択された
読み出された画像データに基づく台紙画像に対する、撮像された画像のレイアウトが決定された状態で
台紙
台紙
【請求項６】撮像された画像を再生し、記録媒体に記録する画像処理装置であって、予め記録されている
複数の台紙画像データから、選択された
複数の台紙画像データから選択された
台紙
台紙
に対する
のレイアウトを決定すべく
【請求項７】撮像された画像を再生する画像処理装置であって、予め記録されている
複数の台紙画像データから、選択された
複数の台紙画像データから選択された
読み出された画像データに基づく台紙画像に対する、撮像された画像のレイアウトが決定された状態で、
台紙
台紙
【請求項８】撮像された画像を再生する画像処理装置であって、予め記録されている
複数の台紙画像データから、選択された
複数の台紙画像データから選択された
台紙
台紙
に対する
のレイアウトを決定すべく
（３）刊行物記載の発明
　本件発明１ないし８に対して、当審が通知した取消理由で引用した刊行物１には、「被写体を撮影する撮影手段と、該撮影手段にて撮影された被写体像を撮影画像情報として記憶する撮影画像記憶手段と、予め複数の背景画像情報が記憶された背景画像記憶手段と、外部からの指令に応じて、上記撮影画像記憶手段及び背景画像記憶手段に記憶された撮影画像情報及び背景画像情報の中から特定の撮影画像情報及び背景画像情報を選択する画像情報選択手段と、該選択された撮影画像情報及び背景画像情報を合成して表示手段に表示する画像合成手段と、備えたことを特徴とする映像装置。」（実用新案登録請求の範囲）が記載されている。
　同じく刊行物２には、「そしてオペレータが、例えばマウス４によりディスプレイ５の上書画面挿入位置を指定し、上書き指令をキーボード２より入力すれば、表示位置指定部１６がその指定位置に上書画面が合成されるように合成手段１７を制御し、かくして背景画面の所定位置に上書画面を合成することができる。このように表示位置指定部１６に上書画面挿入位置を指定することにより、任意の位置に上書画面を移動挿入することができる。」（第４頁左欄３４行〜右欄６行）が記載されている。
　同じく刊行物３には、「音声と画像を送受信するテレビ電話装置において、背景画像を予め登録保持する背景画像メモリと、予め撮影した画像を格納する第１メモリと、通話期間の撮影画像を格納する第２メモリと、上記第１メモリと第２メモリの内容を比較して一致情報を形成し、一致情報領域を抽出して上記背景画像メモリのデータに置換すると供に、不一致情報領域のデータを合成する演算回路と、上記演算回路の出力を所定の符号に変換して送信するインターフェイス回路とを備えて成ることを特徴とするテレビ電話装置。」（特許請求の範囲）が記載されている。
　同じく刊行物４には、「以上により、画像メモリ３における背景画像３３に重ね画像３２が書き込まれた合成画像３１が作成される。そして、表示制御部１０により表示装置９におけるオーバーレイ表示をＯＦＦにし、表示装置９に画像メモリ３から供給される合成画像３１を表示する。そして、使用者は表示装置９における合成画像３１を見て、所望の合成画像であると判断すれば、その合成画像３１を記憶装置２に記憶させる。」（第４頁右上欄２０行〜左下欄８行）が記載されている。
　同じく刊行物５には、「（１）少なくとも２枚の画像を合成する画像合成装置において、少なくとも１つの画像データに対応して、表示することを示す有効ビットをもたせ、該有効ビットによって指示された画像を選定する手段を備えることにより、画像を移動して合成することを特徴とする画像合成装置。」（特許請求の範囲）が記載されている。
（４）対比・判断
《本件発明１について》
　本件発明１と刊行物１ないし５に記載された発明とを対比すると、刊行物１ないし５に記載された発明は、本件発明１における次に掲げる主要な事項を具備していないし、刊行物１ないし５には、この主要な事項を示唆する記載もなされていない。
　「予め記録されている
複数の台紙画像データから選択された
読み出された画像データに基づく台紙画像に対する、撮像された画像のレイアウトが決定された状態で、
　そして、上記主要な事項により、本件発明１は、明細書記載の作用効果を奏するものである。
　したがって、本件発明１は、刊行物１ないし５に記載された発明から当業者が容易に発明できたものでない。
《本件発明２について》
 本件発明２と刊行物１ないし５に記載された発明とを対比すると、刊行物１ないし５に記載された発明は、本件発明２における次に掲げる主要な事項を具備していないし、刊行物１ないし５には、この主要な事項を示唆する記載もなされていない。
「上記予め記録されている
台紙
に対する
のレイアウトを決定すべく
 そして、上記主要な事項により、本件発明２は、明細書記載の作用効果を奏するものである。
　したがって、本件発明２は、刊行物１ないし５に記載された発明から当業者が容易に発明できたものでない。　　　
《本件発明３について》　　　
  本件発明３と刊行物１ないし５に記載された発明とを対比すると、刊行物１ないし５に記載された発明は、本件発明２における次に掲げる主要な事項を具備していないし、刊行物１ないし５には、この主要な事項を示唆する記載もなされていない。
「予め記録されている
複数の台紙画像データから選択された
読み出された画像データに基づく台紙画像に対する、撮像された画像のレイアウトが決定された状態で
台紙
　そして、上記主要な事項により、本件発明３は、明細書記載の作用効果を奏するものである。
　したがって、本件発明３は、刊行物１ないし５に記載された発明から当業者が容易に発明できたものでない。　　
《本件発明４について》
 本件発明４と刊行物１ないし５に記載された発明とを対比すると、刊行物１ないし５に記載された発明は、本件発明４における次に掲げる主要な事項を具備していないし、刊行物１ないし５には、この主要な事項を示唆する記載もなされていない。 　　　　　
「上記予め記録されている
台紙
に対する
のレイアウトを決定すべく
 そして、上記主要な事項により、本件発明４は、明細書記載の作用効果を奏するものである。
 したがって、本件発明４は、刊行物１ないし５に記載された発明から当業者が容易に発明できたものでない。　　　　　
《本件発明５について》　　　　　
　本件発明５は、本件発明１を「画像処理装置」の発明としたものであり、本件発明１と同様、刊行物１ないし５に記載された発明から当業者が容易に発明できたものではない。
《本件発明６について》 　　　
  本件発明６は、本件発明２を「画像処理装置」の発明としたものであり、本件発明２と同様、刊行物１ないし５に記載された発明から当業者が容易に発明できたものではない。　　　　
《本件発明７について》 　　　
  本件発明７は、本件発明３を「画像処理装置」の発明としたものであり、本件発明３と同様、刊行物１ないし５に記載された発明から当業者が容易に発明できたものではない。　　　
《本件発明８について》 　　　
  本件発明８は、本件発明４を「画像処理装置」の発明としたものであり、本件発明４と同様、刊行物１ないし５に記載された発明から当業者が容易に発明できたものではない。 　　
（５）むすび
　以上のとおりであるから、特許異議申立の理由及び証拠によっては、本件発明１ないし８の特許を取り消すことはできない。
　また、他に本件発明１ないし８に係る特許を取り消すべき理由を発見しない。
　よって、結論のとおり決定する。
【異議決定日】
平成１４年７月１７日（２００２．７．１７）
【訂正の要旨】
　ａ．　特許請求の範囲の減縮を目的として、特許請求の範囲の請求項１中の「予め記録されている画像データを読み出す読出手段」を、「予め記録されている
複数の台紙画像データから、選択された
複数の台紙画像データから選択された
読み出された画像データに基づく台紙画像に対する、撮像された画像のレイアウトが決定された状態で、
台紙
台紙
　ｂ．　特許請求の範囲の減縮を目的として、特許請求の範囲の請求項２中の「予め記録されている画像データを読み出す読出手段」を、「予め記録されている
複数の台紙画像データから、選択された
複数の台紙画像データから選択された
台紙
台紙
対する
のレイアウトを決定すべく
　ｃ．　特許請求の範囲の減縮を目的として、特許請求の範囲の請求項３中の「予め記録されている画像データを読み出す読出手段」を、「予め記録されている
複数の台紙画像データから、選択された
複数の台紙画像データから選択された
読み出された画像データに基づく台紙画像に対する、撮像された画像のレイアウトが決定された状態で、
台紙
台紙
　ｄ．　特許請求の範囲の減縮を目的として、特許請求の範囲の請求項４中の「予め記録されている画像データを読み出す読出手段」を、「予め記録されている
複数の台紙画像データから、選択された
複数の台紙画像データから選択された
台紙
台紙
に対する
のレイアウトを決定すべく
　ｅ．　特許請求の範囲の減縮を目的として、特許請求の範囲の請求項５中の「予め記録されている画像データを読み出す読出手段」を、「予め記録されている
複数の台紙画像データから、選択された
複数の台紙画像データから選択された
読み出された画像データに基づく台紙画像に対する、撮像された画像のレイアウトが決定された状態で、
台紙
台紙
　ｆ．　特許請求の範囲の減縮を目的として、特許請求の範囲の請求項６中の「予め記録されている画像データを読み出す読出手段」を、「予め記録されている
複数の台紙画像データから、選択された
複数の台紙画像データから選択された
台紙
台紙
に対する
のレイアウトを決定すべく
　ｇ．　特許請求の範囲の減縮を目的として、特許請求の範囲の請求項７中の「予め記録されている画像データを読み出す読出手段」を、「予め記録されている
複数の台紙画像データから、選択された
複数の台紙画像データから選択された
読み出された画像データに基づく台紙画像に対する、撮像された画像のレイアウトが決定された状態で、
台紙
台紙
　ｈ．　特許請求の範囲の減縮を目的として、特許請求の範囲の請求項８中の「予め記録されている画像データを読み出す読出手段」を、「予め記録されている
複数の台紙画像データから、選択された
複数の台紙画像データから選択された
台紙
台紙
に対する
のレイアウトを決定すべく
（５４）【発明の名称】
画像再生記録システム
（５７）【特許請求の範囲】
　【請求項１】　撮像された画像を再生し、記録媒体に記録する画像記録システムであって、
　予め記録されている
複数の台紙画像データから、選択された
　画像を記録媒体に記録する記録手段と、
　予め記録されている
複数の台紙画像データから選択された
読み出された画像データに基づく台紙画像に対する、撮像された画像のレイアウトが決定された状態で、
台紙
　上記予め記録されている
台紙
　【請求項２】　撮像された画像を再生し、記録媒体に記録する画像記録システムであって、
　予め記録されている
複数の台紙画像データから、選択された
　画像を記録媒体に記録する記録手段と、
　予め記録されている
複数の台紙画像データから選択された
台紙
　上記予め記録されている
台紙
対する
のレイアウトを決定すべく
　【請求項３】　撮像された画像を再生する画像再生システムであって、
　予め記録されている
複数の台紙画像データから、選択された
　画像を記録媒体に記録する記録手段と、
　画像を表示する表示手段と、
　予め記録されている
複数の台紙画像データから選択された
読み出された画像データに基づく台紙画像に対する、撮像された画像のレイアウトが決定された状態で、
台紙
　上記予め記録されている
台紙
　【請求項４】　撮像された画像を再生する画像再生システムであって、
　予め記録されている
複数の台紙画像データから、選択された
　画像を表示する表示手段と、
　予め記録されている
複数の台紙画像データから選択された
台紙
　上記予め記録されている
台紙
に対する
のレイアウトを決定すべく
　【請求項５】　撮像された画像を再生し、記録媒体に記録する画像処理装置であって、
　予め記録されている
複数の台紙画像データから、選択された
　画像を記録媒体に記録する記録手段と、
　予め記録されている
複数の台紙画像データから選択された
読み出された画像データに基づく台紙画像に対する、撮像された画像のレイアウトが決定された状態で、
台紙
　上記予め記録されている
台紙
　【請求項６】　撮像された画像を再生し、記録媒体に記録する画像処理装置であって、
　予め記録されている
複数の台紙画像データから、選択された
　画像を記録媒体に記録する記録手段と、
　予め記録されている
複数の台紙画像データから選択された
台紙
　上記予め記録されている
台紙
に対する
のレイアウトを決定すべく
　【請求項７】　撮像された画像を再生する画像処理装置であって、
　予め記録されている
複数の台紙画像データから、選択された
　画像を記録媒体に記録する記録手段と、
　画像を表示する表示手段と、
　予め記録されている
複数の台紙画像データから選択された
読み出された画像データに基づく台紙画像に対する、撮像された画像のレイアウトが決定された状態で、
台紙
　上記予め記録されている
台紙
　【請求項８】　撮像された画像を再生する画像処理装置であって、
　予め記録されている
複数の台紙画像データから、選択された
　画像を表示する表示手段と、
　予め記録されている
複数の台紙画像データから選択された
台紙
　上記予め記録されている
台紙
に対する
のレイアウトを決定すべく
【発明の詳細な説明】
　【０００１】
　【産業上の利用分野】
　本発明は、フィルム画像を光ディスク等の記録媒体に記録する電子アルバム装置において、そのアルバム作成の多様化技術に関する。
　【０００２】
　【従来の技術】
　従来、フィルム画像などを光ディスク等の大容量の記録媒体に記録、編集する電子アルバム装置が提案されている。また、プリントはアルバムに貼って鑑賞するのが一般的である。また、フィルムの撮影画像を撮影情報とレイアウト位置情報に基づいて自動でレイアウトして印画紙にプリントし、アルバム作成を可能とする装置がある（特開平３−２７４０４７号公報参照）。
　【０００３】
　【発明が解決しようとする課題】
　ところで、従来の電子アルバム装置は、フィルムに記録された画像をファイリングするものであって、アルバムとして挿入される画像に多様性はない。また、上記公報に記載の装置は、予め記録されている画像データを用いて記録するものではない。本発明は、上述した背景下になされたもので、光ディスクに予め記録されている画像データを用いて記録するモードを有し、アルバム化される画像等に多様性を持たせ、より楽しく、かつ、容易に電子アルバムを作成することができる画像再生記録システムを提供することを目的とする。
　【０００４】
　【課題を解決するための手段】
　上記目的を達成するために請求項１の発明は、撮像された画像を再生し、記録媒体に記録する画像記録システムであって、予め記録されている画像データを読み出す読出手段と、画像を記録媒体に記録する記録手段と、予め記録されている画像データを上記読出手段によって読み出し、読み出された画像データに基づく画像と撮像された画像とを合成し、上記記録手段によって記録媒体に記録するよう制御する制御手段とを備え、上記予め記録されている画像と上記撮像された画像とは上書きによって合成され、１枚の画像として生成された後、圧縮されて記録されるものである。また、請求項２の発明は、撮像された画像を再生し、記録媒体に記録する画像記録システムであって、予め記録されている画像データを読み出す読出手段と、画像を記録媒体に記録する記録手段と、予め記録されている画像データを上記読出手段によって読み出し、読み出された画像データに基づく画像と撮像された画像とを合成し、上記記録手段によって記録媒体に記録するよう制御する制御手段と、上記予め記録されている画像と上記撮像された画像との位置を調節する調節手段とを備えたものである。また、請求項３の発明は、撮像された画像を再生する画像再生システムであって、予め記録されている画像データを読み出す読出手段と、画像を記録媒体に記録する記録手段と、画像を表示する表示手段と、予め記録されている画像データを上記読出手段によって読み出し、読み出された画像データに基づく画像と撮像された画像とを合成し、合成された状態で上記表示手段によって表示するよう制御する制御手段とを備え、上記予め記録されている画像と上記撮像された画像とは上書きによって合成され、１枚の画像として生成されて表示され、更に、圧縮されて記録されるものである。また、請求項４の発明は、撮像された画像を再生する画像再生システムであって、予め記録されている画像データを読み出す読出手段と、画像を表示する表示手段と、予め記録されている画像データを上記読出手段によって読み出し、読み出された画像データに基づく画像と撮像された画像とを合成し、合成された状態で上記表示手段によって表示するよう制御する制御手段と、上記予め記録されている画像と上記撮像された画像との位置を調節する調節手段とを備えたものである。また、請求項５の発明は、撮像された画像を再生し、記録媒体に記録する画像処理装置であって、予め記録されている画像データを読み出す読出手段と、画像を記録媒体に記録する記録手段と、予め記録されている画像データを上記読出手段によって読み出し、読み出された画像データに基づく画像と撮像された画像とを合成し、上記記録手段によって記録媒体に記録するよう制御する制御手段とを備え、上記予め記録されている画像と上記撮像された画像とは上書きによって合成され、１枚の画像として生成された後、圧縮されて記録されるものである。また、請求項６の発明は、撮像された画像を再生し、記録媒体に記録する画像処理装置であって、予め記録されている画像データを読み出す読出手段と、画像を記録媒体に記録する記録手段と、予め記録されている画像データを上記読出手段によって読み出し、読み出された画像データに基づく画像と撮像された画像とを合成し、上記記録手段によって記録媒体に記録するよう制御する制御手段と、上記予め記録されている画像と上記撮像された画像との位置を調節する調節手段とを備えたものである。また、請求項７の発明は、撮像された画像を再生する画像処理装置であって、予め記録されている画像データを読み出す読出手段と、画像を記録媒体に記録する記録手段と、画像を表示する表示手段と、予め記録されている画像データを上記読出手段によって読み出し、読み出された画像データに基づく画像と撮像された画像とを合成し、合成された状態で上記表示手段によって表示するよう制御する制御手段とを備え、上記予め記録されている画像と上記撮像された画像とは上書きによって合成され、１枚の画像として生成されて表示され、更に、圧縮されて記録されるものである。また、請求項８の発明は、撮像された画像を再生する画像処理装置であって、予め記録されている画像データを読み出す読出手段と、画像を表示する表示手段と、予め記録されている画像データを上記読出手段によって読み出し、読み出された画像データに基づく画像と撮像された画像とを合成し、合成された状態で上記表示手段によって表示するよう制御する制御手段と、上記予め記録されている画像と上記撮像された画像との位置を調節する調節手段とを備えたものである。
　【０００５】
　【作用】
　上記請求項１，５の発明によれば、予め記録されている画像データを読み出し、この読み出された画像データに基づく画像と、撮像された画像とが合成され、１枚の画像として生成された後、圧縮されて記録媒体に記録され、アルバム作成をすることができる。請求項２，６の発明によれば、さらに、予め記録されている画像に対する撮像された画像の位置を調節することができる。また、上記請求項３，７の発明によれば、予め記録されている画像データを読み出し、この読み出された画像データに基づく画像と、撮像された画像とが合成され、１枚の画像として生成されて表示手段に表示され、さらに圧縮されて記録媒体に記録され、アルバム作成をすることができる。請求項４，８の発明によれば、さらに、予め記録されている画像に対する撮像された画像の位置を調節することができる。
　【０００６】
　【実施例】
　以下、本発明を具体化した一実施例を図面を参照して説明する。図１は本発明の一実施例による電子ファイリングシステムの外観図である。本システムにおいて、フィルムプレーヤ本体５１は、現像済フィルムが収納されたフィルムカートリッジ５２が装填され、フィルム画像を撮像し、また、フィルムに記録された情報を読取／書込する機能を有する。電子アルバム装置５４は、ミニディスク（ＭＤ）等の光ディスク５３（以下、電子アルバムと記す）が装填され、フィルムプレーヤ本体５１からの出力により電子アルバムに画像、音楽等の記録再生を行う。ＣＲＴ等でなるモニタ５５は、フィルムプレーヤ本体５１又は電子アルバム装置５４からの画像、音声等を出力する。
　【０００７】
　図２はフィルムプレーヤ本体５１と電子アルバム装置５４の内部構成を示すブロック図である。フィルムプレーヤ本体５１側の光源１はストロボ又はハロゲンランプ等からなり、装填された現像済フィルム２を照射する。この光源１の照射によるフィルム画像は光学系３により撮像素子４（以下、ＣＣＤと記す）上に結像される。第１プロセス部５はＣＣＤ４から出力されるＲＧＢ信号を処理し、プロセス部５において処理された画像信号は第１メモリ６（Ｍ１）に記憶される。第１メモリ６はそのアドレスがアドレスコントローラ７により制御される。切換部８は、第１メモリ６に記憶されている画像と電子アルバムに記録されている画像とを切換え、いずれかを演出コントロール部９に出力するためのものである。演出コントロール部９は、第１メモリ６に記憶された画像の演出（例えば、ズーミング、パンニング等）を行うと共に、電子アルバムに記録されている画像とフィルム画像の合成、挿入、嵌め込み等の処理を行う。合成、挿入、嵌め込みの詳細は後述する。
　【０００８】
　第２メモリ１０（Ｍ２）は、演出コントロール部９により決定された表示用の画像を一時記憶する。第２プロセス部１１は、第２メモリ１０に記憶された画像データをＮＴＳＣ等のＴＶ信号に変換し、ビデオ出力端子２２よりモニタ５５に出力する。情報リード／ライト部１２（以下、情報Ｒ／Ｗ部と記す）は、フィルム２に記録されている撮影情報（特表平４−５０１４９０号公報に記載の情報）を読取り、第１プロセス部５、演出コントロール部９、表示用データ制御部１３に出力すると共に、演出コントロール部９により決定された各駒の演出方法を記録する。表示用データ制御部１３は、情報Ｒ／Ｗ部１２により読取られた撮影情報及び入力部１６により入力された情報をスーパーインポーズで画像と共に表示し、また、電子アルバム側からの表示用データ（表示枠等）を入力して表示するためのものである。
　【０００９】
　音楽記録媒体１４は、画像と共に再生する音楽情報が記録されており、フィルムプレーヤに内蔵されている半導体メモリであってもよいし、外部から装填可能なミュージックテープでもよい。音楽コントロール部１５は、音楽記録媒体１４に記録されている音楽又はオーディオ入力端子２４から入力された音楽データを処理してアンプ２０に出力する。アンプ２０の出力はオーディオ出力端子２３よりモニタ５５に出力される。なお、音楽コントロール部１５と演出コントロール部９は音楽再生と画像再生を同期して行うために接続されている。キーボードまたはマウス等からなる入力部１６はフィルムの駒番号等を入力するためのものであり、ライトペン１７は画像入力位置の決定や主被写体抽出のためのものであり、これらは入力部インターフェース（入力部Ｉ／Ｆ）１８に接続されている。インデックスプリントが装填されるインデックスプリント装填部（リモコン）１９は駒番号入力やモード選択、記録（ファイル）指示のために用いられる。フィルムプレーヤ全体を制御する第１システムコントローラ２１は、電子アルバム全体を制御する第２システムコントローラ３５とデータ交信を行う。
　【００１０】
　フィルム上の撮影された画像と撮影情報が記録される磁気トラックとの位置関係を図５７に示す。この位置関係については特表平４−５０１４９０号公報に記載されている通りである。
　【００１１】
　電子アルバム側について説明すると、圧縮部２５はフィルムプレーヤからの画像を圧縮する。ＭＩＸ部２６は画像データ、音楽データ及び撮影情報などのデータを合わせて記録するためのもので、ＭＩＸ部２６からのデータ記録のための出力はライト部２７に入力される。画像ファイル部２８は前述の電子アルバム５３である光ディスク等の記録媒体を有する。この記録媒体はフィルム画像を記録すると共に、予め記録されている画像データを有している。この画像データは後述する背景用画像などに利用される。アドレスコントローラ２９は画像ファイル部２８のアドレスを制御する。リード部３０は画像ファイル部２８からデータを読み出す。
　【００１２】
　データセレクト部３１はリード部３０により読取られたデータを画像データ、音楽データ、表示用データに分ける。伸長部３２は圧縮された画像データを伸長する。第３メモリ３３（Ｍ３）は伸長部３２により伸長された画像データを記憶する。第４メモリ３４（Ｍ４）は音楽データを一時記憶する。電子アルバム装置側の入力部３７は入力部インターフェース３６を介して第２システムコントローラ３５に接続されている。端子ＴＳ１は第２メモリ１０（Ｍ２）からの画像データを圧縮部２５に出力する。端子ＴＳ２は第３メモリ３３（Ｍ３）からの画像データを切換部８に出力する。端子ＴＳ３は音楽コントロール部１５からの音楽データをＭＩＸ部２６に出力する。端子ＴＳ４は第４メモリ３４（Ｍ４）からの音楽データを音楽コントロール部１５に出力する。端子ＴＳ５は表示用データ制御部１３からのデータをＭＩＸ部２６に出力する。端子ＴＳ６はデータセレクト部３１からの表示用データを表示用データ制御部１３に出力する。端子ＴＳ７はフィルムプレーヤ側の入力部インターフェース１８からの検索データを第２システムコントローラ３５に出力する。端子ＴＳ８は第１システムコントローラ２１と第２システムコントローラ３５とでデータ交信を行う。
　【００１３】
　次に、図２に示した構成の動作を説明する。光源１により照射されたフィルム画像はＣＣＤ４により撮像されＲＧＢ信号とされ、同信号が第１プロセス部５に入力される。入力されたＲＧＢ信号は第１プロセス部５にてＡ／Ｄ変換、マトリクス処理されて、第１メモリ６に記憶される。その処理段階おいて、情報Ｒ／Ｗ部１２で読取られた情報が利用される。第１メモリ６に記憶された画像データはアドレスコントローラ７によりアドレス指定され、切換部８に入力される。フィルム画像を再生する場合、第１システムコントローラ２１は第１メモリ６に記憶された画像を演出コントロール部９に出力するよう切換部８を制御する。演出コントロール部９に入力された画像データは、情報Ｒ／Ｗ部１２により読取られた情報を基にズーミング、パンニング、回転処理、フィルタリング、及び、後述する電子アルバム装置側の画像との合成、嵌め込み、挿入等を行い、第２メモリ１０に出力する。第２メモリ１０に記憶された画像は、第２プロセス部１１に入力され、ＮＴＳＣ信号に変換されてビデオ出力端子２２よりモニタ５５に出力される。その際、情報Ｒ／Ｗ部１２により読取られた日付情報、駒番号等が表示用データ制御部１３によりスーパーインポーズされて表示される。
　【００１４】
　フィルム画像をファイリングする場合は、第２メモリ１０に記憶されている画像が端子ＴＳ１を介して電子アルバム装置側の圧縮部２５に入力される。次に、ＭＩＸ部２６で圧縮部２５の画像出力に音楽情報、及び、情報Ｒ／Ｗ部１２からの情報が加えられライト部２７に出力され、このライト部２７により画像ファイル部２８にて記録される。
　【００１５】
　次に、画像ファイル部２８に記録されている画像データを読み出す時の動作について説明する。画像ファイル部２８に記録されている画像データはリード部３０により読み出され、データセレクト部３１に入力される。このデータセレクト部３１から出力された画像データは伸長部３２により伸長され、第３メモリ３３に一旦記憶される。第３メモリ３３に記憶された画像データは、端子ＴＳ２を介してフィルムプレーヤ側の切換部８に入力される。第１システムコントローラ２１は電子アルバム装置からの画像を再生するときには、端子ＴＳ２からの画像を演出コントロール部９に出力するように切換部８を制御する。演出コントロール部９以降の動作はフィルム画像の場合と同様である。
　【００１６】
　音楽データは音楽コントロール部１５により処理されて画像と同期して再生されると共に、ファイリングする場合も端子ＴＳ３を介して画像に対応した形で記録される。画像ファイル部２８から読み出す場合もデータセレクト部３１から第４メモリ３４に一旦記憶され、端子ＴＳ４を介して音楽コントロール部１５に入力されて再生される。情報Ｒ／Ｗ部１２により読取られた日付情報等は表示用データ制御部１３により第２プロセス部１１に入力され、画像にスーパーインポーズの形で再生される。画像をファイルする場合、表示用データは端子ＴＳ５を介して電子アルバム装置側に入力される。この表示用データに係る情報は画像を検索する場合にも利用される。電子アルバム装置側からの表示用データは端子ＴＳ６を介して表示用データ制御部１３に入力され、その内の日付情報等の文字データは第２プロセス部１１に出力され、後述する表示枠等は第２メモリ１０に記憶される。入力部１６からのデータも同様である。
　【００１７】
　画像を検索する場合は、入力部インターフェース１８から検索データが端子ＴＳ７を介して第２システムコントローラ３５に入力され、アドレスコントローラ２９を制御して画像ファイル部２８に記録されている画像を検索する。
　【００１８】
　次に、インデックスプリント装填部（リモコン）１９を図３により説明する。リモコン１９は画像のモニタ５５表示や画像ファイル部２８のディスクへの記録等の操作指示を行うもので、正面に透明タッチパネル１９ａと各種キースイッチ１９ｂが設けられている。１本のフィルムカートリッジのインデックスプリントが側面のインデックスプリント装填口１９ｃより挿入され、タッチパネル１９ａを通して見えており、同プリントの各駒に対応した位置がタッチスイッチになっていて各駒の上を押すことでその駒が選択される。「英数字」キーはコメントや駒番号の指定を行うためのスイッチ、「入力／削除」キーは入力したコメントや駒番号の確定／削除のためのスイッチ、「モード」キーは再生／記録の選択、フィルム画像／ファイル画像の選択スイッチ、「マルチ画面」及び「一括記録」キーはディスクへの記録モードを選択するスイッチ、「駒送り」及び「駒戻し」キーは撮影するフィルムの駒送り／駒戻しのスイッチとモニタ画面上でのカーソル移動とを兼用し、かつ、ファイリングされた画像の選択にも使用されるスイッチである。「確認」及び「取消」キーは選択したモードや記録する駒が正しいかどうかの確認／取消を行うためのスイッチ、「ファイル」キーはディスクへの記録スイッチである。なお、リモコン１９にはインデックスプリントの取り出しレバー１９ｄが設けられており、また、前面側（図では上側）に本体への信号出力部がある。
　【００１９】
　次に、フィルムプレーヤ本体５１にフィルムカートリッジ５２が装填された時の動作を図４のフローチャートにより説明する。まず、装填時にプリスキャンを行い（＃１）、これによりフィルムの情報を予め全駒分読取り、後述するテーマブロックに分割する。次に、最初の駒の撮像が行える位置までフィルムを送り（＃２）、再生するか記録するかをモードスイッチにより選択するメニュー画面が出力される（＃３）。再生モード選択により再生動作に移行し（＃４でＮＯ）、記録モード選択で入力待ちの時、リモコン１９の全駒一括スイッチ、マルチ画面スイッチ、タッチパネル、駒番号スイッチのいずれかの入力により各々の処理に移行する（＃５〜＃９）。いずれでもなくキーワードによる駒指定を行うために検索用キーワードの入力があれば、これがリモコン１９から本体に送信され、モニタ５５に表示される（＃１０）。すると、フィルムは高速送りが開始され、入力されたキーワードに一致する磁気情報が見つかるまで、フィルムを送る（＃１１〜＃１３）。
　【００２０】
　キーワードに一致した情報が見つかれば、その駒を撮像可能な位置にもってきてフィルムを停止させ（＃２４）、該当の駒を撮像後、画像と情報をモニタ５５に出力する（＃２５，＃２６）。＃１１〜＃１３でキーワードに一致する情報が見つからず、フィルム終端まで検索が行われると、フィルム装填時の初期位置まで巻戻された後、検索駒がなかったことを示す出力をモニタ５５に表示して（＃１４〜＃１６）、＃５に戻る。＃２６の後、画像がユーザに確認され、取消スイッチが押されると（＃２７でＹＥＳ）、再度同じキーワードで続きの駒が検索されるように＃１１に戻る。ファイルスイッチが押されると（＃２８でＹＥＳ）、後述の＃２９以降へ進む。
　【００２１】
　＃８，＃９でタッチパネル又は駒番号入力により駒指定があれば、指定駒の撮像が開始できる位置までフィルムを送り（＃１７〜＃１９）、指定駒をＣＣＤ４で撮像する（＃２０）。フィルムの磁気情報は予め読取っておいて装置本体に記憶してある。次に、撮像した画像及び磁気情報をモニタ５５に表示する（＃２１）。次に、これがユーザにより確認されて取消スイッチが押されると（＃２２でＹＥＳ）、再度、＃５の駒指定モードへ戻り、ファイルスイッチが押されると（＃２３でＹＥＳ）、＃２９に進み、ディスクからアルバム情報を読み出してきて、モニタ５５に出力表示する（＃３０）。この例を図７に示す。１枚のディスクには複数（ここでは１２種類）のアルバム情報が予め入力されており、記録する画像はそのアルバム情報によってグルーピングされる。次いで、どのアルバム情報を画像と共に記録するか設定する（＃３１）。この設定は、図７のような表示画面においてリモコン１９の駒送り／駒戻しスイッチによってカーソルを移動させ、どのアルバムグループに記録したい駒を入れるかを選択することにより行える。なお、この表示画面で、どのアルバムを再生するかを選択することもできる。
　【００２２】
　続いて、＃３２〜＃３９において、画像と共に音楽や音声を記録したい場合は、音声入力モードに設定し（モニタ画面上で指定）、音声を入力する。入力した音声は順次ディスクに記録され、最後に、どのアルバムのどの駒に対応する音声であるかを示す音声アルバム情報を付加し、記録する。この情報は、音声の記録部分の最初に入れてもよいし、音声の記録場所と画像の記録場所を対応付けできればよい。次に、＃３３〜＃３６において、電子アルバム装置へ画像、コメントなどの文字情報を記録出力し、続いて、アルバム情報（＃３１で設定したもの）を記録出力する。その後、処理は最初に戻る。
　【００２３】
　上記＃７でマルチ画面スイッチが押された場合、処理は図５のフローへ移り、マルチ画面表示出力を行うための指示が、演出コントロール部９へ出力される（＃４１）。次いで、一枚毎に撮像を行い、モニタ５５へ出力する。この撮影は予備的なもので粗くてよい。この動作をフィルムが終了するまで繰り返し行う。演出コントロール部９は第２メモリ１０に順に各駒の画像情報を加えていく。１本のフィルムが終了すると、モニタ５５上には図８に示すようにフィルム１本分の画像が表示される（＃４２〜＃４４）。次に、駒指定がなされると（＃４５でＹＥＳ）、指定駒がユーザに認識できるようにモニタ５５に図９に示すように表示される（＃４９）。ここでは１５番目の駒が指定された例を示している。枠を表示しているが、枠表示はなくてもよく、指定駒が分かれば何でもよい。駒の指定方法は、駒番号の入力、タッチパネル入力、モニタ５５上でのカーソル指定のいずれでもよい。この表示をユーザが確認し、取消スイッチが押されると図８の表示を再度出力して、取消スイッチが押されることなく確認スイッチが押されると、確認されたことを示す強調表示を行って、それぞれ＃４５へ戻る（＃５０〜＃５２）。この強調表示は、例えば、枠を太くしてもよく、指定駒の輝度を上げてもよい。確認された駒番号は、システムコントローラ２１内の不図示のメモリに記憶される。
　【００２４】
　駒指定が全く行われずに取消スイッチが押されると（＃４５でＮＯ、＃４６でＹＥＳ、＃４７でＮＯ）、最初の初期状態に戻るが、一駒でも駒指定が行われていた時には、取消スイッチは無効となり、＃４５に戻って次の駒指定があるかどうかを判定する。以上のような駒指定処理が行なわれても、確認スイッチが押されなければ（＃４８でＮＯ）、＃４５に戻り、確認スイッチが押されるまで次々と駒を指定していくことができる。確認スイッチが押されると、次に、全駒一括スイッチが押されたかを判定する（＃５３）。全駒一括スイッチが押されると、全駒が指定された表示状態になり（＃５４）、全駒一括スイッチが押されなければ、＃５４はスキップする。次に、ファイルスイッチが押されたかを判定する（＃５５）。ファイルスイッチが押されれば、ディスク内のアルバム情報を読取り、モニタ５５に表示し、アルバム情報を設定する。つまり、どのアルバムに指定駒の画像を記憶するかを設定する（＃５６〜＃５８）。
　【００２５】
　次に、＃５９〜＃６４において、上記で駒指定され記憶しておいた駒番号を基に検索し、撮像をやり直し、この画像を先に記憶させているフィルム磁気情報と共にモニタ５５に表示出力し、次に、電子アルバム装置側へ画像と情報（文字データ）を出力することを指示した後、記録出力する。この間、モニタ画面には、図１０のように、指定駒の画像と情報が出力される。指定した駒の全てが撮像、表示、記録されるまで上記の処理を繰り返す。次に、＃６５〜＃７０において、音声情報を記録する。この音声記録は前述と同様である。最後に、上記＃５８で設定したアルバム情報を画像ファイル部２８のディスクに送って記録し、フィルム装填の処理を終了する。
　【００２６】
　上記＃６で一括記録スイッチが押された場合、図６のフローに移る。ここで、ファイルスイッチが押されると（＃７１でＹＥＳ）、演出コントロール部９にはマルチ画面出力表示を行う指示を与える（＃７２）。その後、順に一駒毎に撮像を行い、撮像データをモニタ５５に出力すると共に、電子アルバム装置へも出力する。ここで、モニタ５５へはマルチ画面として第２メモリ１０から、電子アルバム装置へは一駒の画像として同じく第２メモリ１０から出力される。これを順次全駒終了するまで繰り返す（＃７３〜＃７７）。最後に画像ファイル部２８内のディスクのアルバム情報を読取り、上記画像と磁気情報を記録するアルバムを選択し、画像及び情報とアルバムとを対応付けるためのアルバム情報をディスクに記録する（＃７８〜＃８０）。その後、処理は＃６５へ移る。なお、＃７１でファイルスイッチが押されず、取消スイッチが押された場合は初期設定に戻る。
　【００２７】
　次に、本システムによるアルバム編集機能の詳細を説明する。本実施例でのアルバム編集とは、画像ファイル部２８のディスク中のアルバムの画像をフィルムカートリッジ内の画像や他のアルバム画像問に挿入したり、出画順を変更することで、下記の３つの機能がある。ここに、挿入する画像を含むアルバムを挿入アルバム、挿入されるアルバムを編集アルバムと呼ぶ。第１の機能は、画像ファイル部２８中のアルバム（挿入アルバム）Ｂから駒単位に他のアルバム（編集アルバム）Ａへ挿入し、セーブするもの、第２の機能は、画像ファイル部２８中のアルバム（挿入アルバム）Ｂから駒単位に任意のフィルムカートリッジ画像の間に挿入し、新アルバムＣを作成しディスクにセーブするもの、第３の機能は、画像ファイル部２８中のアルバム（挿入アルバム）Ｂの出画順を変更し、新アルバムＤを作成しディスクにセーブするものである。
　【００２８】
　また、各々のアルバムは、アルバム情報ファイルと画像ファイルとで構成され、画像ファイル部２８に記録されている。アルバム情報ファイルは、図２１に示すように、アルバムタイトルと各駒番号に対応する画像アドレスと情報が収められている。このアルバム情報ファイルだけを作成することで、新しいアルバムが作成できる。つまり、新アルバムにおいて画像ファイルのアドレスを指定するだけで画像をコピーしたり移動する必要なくアルバムが作成でき、メモリ容量の節約と短時間でのアルバム化が可能である。
　【００２９】
　アルバム編集（出画順編集）をフローチャートに基づいて説明する。図１１はアルバム編集全体の流れを示すフローチャートである。まず、アルバム情報ファイルのタイトルをモニタ上に表示し、編集アルバム、挿入アルバム又はフィルムカートリッジを選択する（＃１０１）。この時の表示例を図１９に示し、その詳細は後述する。次いで、編集（挿入）操作をする画面をモニタ上に表示する（＃１０２）。この時の表示例を図２０に示し、その詳細は後述する。次に、電子アルバム側の入力部３７の操作により、編集・挿入アルバムの切換スイッチがＯＮされたかを調べ（＃１０３）、ＯＮされれば、編集アルバム設定モード（図２０の編集アルバムカーソル１０９が点滅）であれば挿入アルバム設定モード（図２０の挿入アルバムカーソル１１０が点滅）に、編集アルバム設定モードでなければ編集アルバム設定モードに、それぞれモードを変更する（＃１０４〜＃１０６）。
　【００３０】
　次に、駒送りスイッチ、駒戻しスイッチ、確認スイッチ、取消スイッチ及びファイルスイッチが順次チェックされる（＃１０７〜＃１１５）。駒送りスイッチ又は駒戻しスイッチのＯＮで、一駒送り又は一駒戻しが行われる（＃１０８，＃１１０）。すなわち、点滅カーソルを一駒送り、又は戻して、挿入位置または挿入駒の画像を変更する。確認スイッチのＯＮで、その時の編集アルバムのカーソル位置に挿入アルバムのカーソル位置の画像を挿入する（＃１１２）。取消スイッチＯＮで、その時の編集アルバムのカーソル位置直前の駒の画像を削除する（＃１１４）。ファイルスイッチＯＮで、その時の編集アルバムの状態を示すアルバム情報ファイルを画像ファイル部にセーブし（＃１１６）、アルバム編集機能を終了する。
　【００３１】
　図１２は上記＃１０１のアルバム情報ファイル選択のサブルーチンを示す。画像ファイル部２８から全てのアルバム情報ファイルを読み出し（＃２０１）、アルバムタイトルを編集アルバムと挿入アルバムのタイトル部に表示し（＃２０２，＃２０３）、編集アルバムの１つのタイトルにカーソルを表示する（＃２０４）。アルバム選択表示画面の一例を図１９に示す。白黒反転の編集アルバム選択カーソル１０１で、編集アルバムタイトル部１０３内を移動し、編集アルバムを決定する。フィルム入力選択メニュー１０５は、カーソル１０１で選択することで、フィルムカートリッジの画像を編集アルバムとみなす。ニューアルバム作成メニュー１０６は、このメニューをカーソル１０１で選択すると、新しいアルバム（情報ファイル）が作成される。主に出画順を変更するときに使用される。黒反転の挿入アルバム選択カーソル１０２は、挿入アルバムタイトル部１０４内を移動し、挿入アルバムを決定する。この表示例ではタイトル部に撮影時の日付が表示されている。この日付は、フィルムカートリッジからの情報を読み出したもの、又は、本機の操作キーにより入力されたものである。日付のないアルバムは画像ファイル部２８に本機購入時からセーブされているアルバムで、本機ユーザが撮影したものではない。
　【００３２】
　図１２のフローチャートの説明に戻る。駒送りスイッチがチェックされ（＃２０５）、押されていれば、次の編集アルバムタイトルにカーソル１０１を進める（＃２０６）。駒戻しスイッチがチェックされ（＃２０７）、押されていれば、前の編集アルバムタイトルにカーソル１０１を戻す（＃２０８）。次に、確認スイッチがチェックされ（＃２０９）、ＯＦＦならば＃２０５に戻り、スイッチチェックを繰り返す。ＯＮならば、フィルムカートリッジが選択されたかをチェックし（＃２１０）、ＹＥＳの場合はフィルムカートリッジのタイトル入力が行なわれ（＃２１１）、フィルムカートリッジから情報が読み出され（＃２１２）、アルバム情報ファイルを作成する（＃２１３）。もし、＃２１０でＮＯの場合は、ニューアルバムが選択されたかをチェックし（＃２１４）、ＹＥＳの場合は、タイトル入力が行なわれ（＃２１５）、駒数（画像数）０のアルバム情報ファイルを作成する（＃２１６）。次に、＃２１７では、上記でフィルムカートリッジが選択されていた場合は、フィルムカートリッジのアルバム情報ファイルを編集アルバムとし、ニューアルバムが選択された場合は、新しく作成されたアルバム情報ファイルを編集アルバムとし、その他のアルバムが選択された場合は、カーソル１０１が示すタイトルのアルバム情報ファイルを編集アルバムとする。
　【００３３】
　次に、挿入アルバムの決定を行う。挿入アルバムタイトルにカーソル１０２を表示する（＃２１８）。この時、編集アルバムを示すカーソル１０１は決定した編集アルバムタイトル上に固定される。駒送りスイッチがチェックされ（＃２１９）、押されていれば、次の挿入アルバムタイトルにカーソル１０２を進める（＃２２０）。駒戻しスイッチがチェックされ（＃２２１）、押されていれば、前の挿入アルバムタイトルにカーソル１０２を戻す（＃２２２）。確認スイッチがチェックされ（＃２２３）、ＯＦＦならば、＃２１９に戻り、スイッチチェックを繰り返す。ＯＮの場合は、カーソル１０２が示すタイトルのアルバム情報ファイルを挿入アルバムとする。図１９でアルバム選択表示の一例を示したが、それ以外に次のような表示、機能を加えることも考えられる。（１）アルバムタイトルと同時にアルバムの１駒目の画像をタイトル横に縮小表示し、アルバム内容を直ぐに判別できるようにする。（２）アルバムタイトルが増えた場合に対応するため、タイトル部をスクロール可能にする。
　【００３４】
　図１３はアルバム編集表示のサブルーチンを示す。図２０にアルバム編集表示画面の一例を示す。まず、前記ルーチンで選択された編集アルバムのタイトル１０７を表示する（＃３０１）。次いで、編集アルバム駒番号１１１を表示し（＃３０２）、挿入位置を示す挿入位置選択カーソル１０９を点滅表示する（＃３０３）。点滅はそのカーソルが移動可能であることを示す。このカーソルは、駒番号間に表示する。次に、画像を読み出し、第２メモリ１０（Ｍ２）にセーブする（＃３０４〜＃３０６）。編集アルバムとして、フィルムカートリッジが選択されていた場合は、フィルムカートリッジ内の画像を撮像し、まびき、又は、圧縮などの手法により容量を減らし、第２メモリ１０にセーブする。第２メモリ１０の容量が十分大きければ縮小の必要はない。その他の場合は、同様に画像ファイル部２８から編集アルバム画像を読み出し、まびき、圧縮後、第２メモリ１０にセーブする。この処理を繰り返し、フィルムカートリッジ、または、編集アルバム画像をすべて第２メモリ１０にセーブする。挿入位置選択カーソル直前の駒番号に相当する画像を第２メモリ１０より読み出し、表示エリア１に表示する（＃３０７）。つまり、挿入駒は表示エリア１の画像の次に挿入されることになる。
　【００３５】
　次に、前記と同様に挿入アルバム表示を行う。前記ルーチンで選択された挿入アルバムタイトル１０８を表示する（＃３０８）。挿入アルバム駒番号１１２を表示し（＃３０９）、挿入駒を示す挿入駒選択カーソル１１０を表示する（＃３１０）。挿入アルバムの画像を読み出し、まびき、又は、圧縮などし、容量を減らした後、第２メモリ１０にセーブする（＃３１１）。この時点で、第２メモリ１０には編集、挿入アルバムの縮小画像がすべてセーブされている。挿入駒選択カーソル１１０が示す駒番号の画像を読み出し、表示エリア２に表示する（＃３１２）。
　【００３６】
　図１４は駒送りスイッチが押された場合の一駒送りのサブルーチンを示す。挿入位置選択状態にあるか、挿入駒選択状態にあるかをカーソルの点滅でチェックする（＃４０１）。初期表示では、挿入駒選択位置カーソルが点滅しており、図１１の＃１０３で編集・挿入アルバム切換スイッチのＯＮで点滅カーソルが切換えられる。＃４０１で挿入位置選択カーソルが点滅していれば、挿入位置選択カーソルを１駒進め（＃４０２）、表示エリア１にカーソル直前の駒番号の画像を第２メモリ１０より読み出し、表示する（＃４０３，＃４０４）。＃４０１で挿入駒選択カーソルが点滅していれば、挿入駒選択カーソルを１駒進め（＃４０５）、カーソルの示す駒番号の画像を第２メモリ１０より読み出し、表示エリア２に表示する（＃４０６，＃４０７）。
　【００３７】
　図１５は駒戻しスイッチが押された場合の一駒戻しのサブルーチンを示す。挿入位置選択状態にあるか、挿入駒選択状態にあるかをカーソルの点滅でチェックし（＃５０１）、挿入位置選択カーソルが点滅していれば、挿入位置選択カーソルを１駒戻し（＃５０２）、カーソル直前の駒番号の画像を第２メモリ１０より読み出し、表示エリア１に表示する（＃５０３，＃５０４）。挿入駒選択カーソルが点滅していれば挿入駒選択カーソルを１駒戻し（＃５０５）、カーソルの示す駒番号の画像を第２メモリ１０より読み出し、表示エリア２に表示する（＃５０６，＃５０７）。
　【００３８】
　図１６は確認スイッチが押され、編集アルバムに挿入駒を挿入するサブルーチンを示す。ここでは、確認スイッチが押された時の挿入駒選択カーソルが示す画像を編集アルバムの挿入位置選択カーソルの示す位置に挿入する場合を説明する。まず、挿入位置選択カーソル以降の駒番号表示を１増やし（＃６０１）、駒番号を挿入する（＃６０２）。また、挿入アルバムのアルバム情報ファイル中の挿入駒の駒情報を抜き出し、編集アルバムのアルバム情報ファイルの挿入位置に、挿入駒の駒情報を挿入する（＃６０３）。アルバム情報ファイルは第１システムコントローラ２１にロードされており、この処理は第１システムコントローラ２１内で行う。次に、前記により挿入された駒番号の後に挿入位置選択カーソルを移動させ、挿入駒選択カーソルで示された挿入画像を第２メモリ１０から読み出し、表示エリア１に表示する（＃６０４）。
　【００３９】
　図１７は取消スイッチが押された時の編集アルバムに挿入された駒の取消処理のサブルーチンを示す。ここでは、挿入位置選択カーソル直前の駒番号の画像を編集アルバムより削除する場合を説明する。編集アルバムの情報ファイルを画像ファイル部２８中の情報ファイルと比較する（＃７０１）。もし同一名ファイルがなければ（＃７０２でＮＯ）、この編集アルバムはニューメニューで作成されたものとみなし、＃７０４へ進む。同一名ファイルが存在し、削除指定された駒がそのファイル中に存在すれば、その駒はオリジナルなものとして削除をせず、終了する。削除指定された駒が、そのファイル中に存在しなければ、今回挿入された駒とみなし、＃７０４へ進む。このように、＃７０４以降では、新たに挿入された駒だけを削除する。オリジナル駒の削除は、アルバム編集モード内では行わない。＃７０４で挿入位置選択カーソル直前の駒番号を消去し、カーソル以降の駒番号を１減じる（＃７０５）。次に、消去駒の駒情報を編集アルバムの情報ファイルから削除し（＃７０６）、消去駒の直前の駒番号の画像を第２メモリ１０より読み出し、表示エリア１に表示する（＃７０７）。
　【００４０】
　図１８はファイルスイッチによる編集されたアルバムの画像ファイル部への書き込みを示す。まず、編集アルバムがフィルムカートリッジから作成されたかをチェックし（＃８０１）、ＹＥＳならば、フィルム画像を撮像し（＃８０２）、その画像データを画像ファイル部２８に書き込み（＃８０３）、その書き込みアドレスを編集アルバムの情報ファイルに記録し（＃８０４）、完成された編集アルバムの情報ファイルを画像ファイル部２８に書き込む（＃８０５）。＃８０１でＮＯならば、画像ファイルが存在するものとして＃８０５へ進む。
　【００４１】
　次に、カートリッジフィルムを装填し、その画像を所定のアルバムに嵌め込みレイアウト編集する手順を図２２に示し、以下、これを説明する。レイアウト編集が特定アプリケーションで使われる定型レイアウトの場合は、即時に処理に移る（ステップＳ１〜Ｓ３）。定型レイアウトではない場合は、メッセージを表示する（Ｓ４）。ユーザは、メッセージに応じて、不図示のスイッチで、オートモード、パターン（半自動）モード、フリーモードのどれかを選択する。図３９にそのメッセージ表示を示す。レイアウトデータはディスクに格納されている。
　【００４２】
　定型レイアウトとは、特定の市販アプリケーション等において自分で撮影した写真を嵌め込むことができるレイアウト手法のことであり、写真を嵌め込む位置や大きさは決まっている。図４２にその例を示す。使い方の例として鳥類電子アルバムを示す。（１）モニタに表示される鳥の名前とイラスト（写真エリアに最初に表示される）を見ながら、自分で撮影した鳥が掲載されているページを指定する。モニタに表示される画面は、鳥の名前、習性、生息地等の文字情報とイラスト（写真）のグラフィック情報で構成される。（２）自分の撮影した駒を選択する。（３）選択したページの写真エリアに自分で撮影した写真が上書きされて表示される。
　【００４３】
　オートモードとは、アルバムに整理したい駒を選択するだけで、自動的に駒数に合ったページ数で台紙に見やすく配置するモードのことである（Ｓ６，Ｓ７）。レイアウトパターンモードとは、アルバムに整理したい駒を選択し、表示されるレイアウトパターンの中から好みのものを選択するモードであり（Ｓ９，Ｓ１０）、このモードを図４３に示す。フリーレイアウトとは、現行のアルバム作りと同様に、写真を好みの位置にレイアウト指定することができるモードである（Ｓ１２〜Ｓ１４）。このモードを、図４４、図４５に示す。現行のアルバム作りと異なるのは、貼る写真の大きさやトリミングが自由に選択できることが挙げられる。ここで、以下に用いる定数とその定義を列挙する。
　【００４４】
　【表１】
　　Ｎ：総定型レイアウト数　　　　　　ｎ：ｎ番目のレイアウト
　　Ｋ：フィルム１本の総駒数　　　　　ｋ：ｋ番目の駒
　　Ｔ：テーマブロック数　　　　　　　ｔ：ｔ番目のテーマブロック
　　Ｊ：ｔ番目のテーマブロックの駒数　ｊ：テーマブロックのｊ番目の駒
　　Ｂ：一括表示の分割数　　　　　　　ｂ：ｂ番目の分割位置
　　Ｍ：テーマブロック内の決定駒数　　ｍ：ｍ番目の駒
　　Ｐ：ページ数　　　　　　　　　　　ｐ：ｐ番目のページ
　　Ｒ：総パターンレイアウト数　　　　ｒ：ｒ番目のパターンレイアウト
　　Ｑ：指定レイアウトに貼る写真数　　ｑ：ｑ番目の写真
　　Ｙ：レイアウト台紙数　　　　　　　ｙ：ｙ番目のレイアウト台紙
　　ＦＴＢ：電子ファイルのタイトル数　ＦＫ：電子ファイルの駒数
なお、テーマブロックとは１本のフィルムを日付情報等により複数のブロックに分割したものを言う。
　【００４５】
　図２３は定型レイアウトページ指定のサブルーチンを示す。始めに、１ページ目のレイアウトページが表示される（Ｓ２１，Ｓ２２）。駒送りスイッチを押すと、次のレイアウトページが表示される（Ｓ２３〜Ｓ２６）。駒戻しスイッチを押すと、一つ前のレイアウトページが表示される（Ｓ２７〜Ｓ３０）。この処理はエンドレスの順操りでも、終端そのままのどちらの処理でも構わない。確認スイッチを押すと、表示されているページを使用することが決定される（Ｓ３１，Ｓ３２）。
　【００４６】
　図２４は駒指定Ｎｏ．１（上述図２２のＳ３）のサブルーチンを示す。始めに、撮影したフィルムの１番目の画像を読み込み（Ｓ４１，Ｓ４２）、上記で決定したｎ番目の定型レイアウトの写真エリアの表示倍率情報を検知し（Ｓ４３）、表示倍率情報を基に画像を拡大、縮小し（Ｓ４４）、レイアウトの写真エリアに画像を書き込む（Ｓ４５）。さらに、駒送りスイッチを押すと、次の撮影した駒が表示される（Ｓ４６〜Ｓ４９）。駒戻しスイッチを押すと、一つ前の撮影した駒が表示される（Ｓ５０〜Ｓ５３）。この処理はエンドレスの順操りでも、終端そのままのどちらの処理でも構わない。確認スイッチを押すと、表示されている駒を使用することが決定される。駒送りスイッチと駒戻しスイッチで駒を選択する方法以外に、直接テンキーを用いて、駒番号を指定してもよい。
　【００４７】
　図２５、図２６はオートモードレイアウトでの駒指定Ｎｏ．２（上述図２２のＳ６）のサブルーチンを示し、以下、その概略のみを説明する。始めに、フィルムよりテーマブロックの駒数Ｊを検知し、画面上での一括表示の分割数Ｂ（≧Ｊ）を計算し、表示倍率を計算又は検知し（Ｓ６１〜Ｓ６４）、画像とその画像を書き込む位置を決定し（Ｓ６７〜Ｓ７２）、全駒の一括表示を行う（Ｓ７３）。次に、始めの駒の上に選択枠を表示する（Ｓ７４，Ｓ７５）。駒送りスイッチを押すと、次の駒に選択枠が動き（Ｓ７６〜Ｓ７９）、駒戻しスイッチを押すと、一つ前の駒に選択枠が動く（Ｓ８０〜Ｓ８３）。この処理はエンドレスの順操りでも、終端そのままのどちらの処理でも構わない。確認スイッチを押すと、その駒がアルバムに貼られる駒と決定される（Ｓ８４〜Ｓ８６）。再度、確認スイッチを押すと、そのテーマブロック内の駒指定は終了し、駒数Ｍが決定される。さらに、未指定のテーマブロックがあれば、そのテーマブロック内の駒の一括表示を行い、１本のフィルムの中の未指定のテーマブロックがなくなるまで、上記の処理を繰り返す（Ｓ８９〜Ｓ９０）。このようなテーマブロック単位での処理は、テーマブロックがイベントやテーマの違いでいくつかに分かれているためアルバム整理の目安となるという利点がある。
　【００４８】
　図２７は上記の駒指定Ｎｏ．２処理の後に行われるレイアウトページ数計算（上述図２２のＳ７）のサブルーチンを示す。アルバムに使用すると決定された駒数Ｍを検知し（Ｓ９２）、これとアルバム台紙１枚に貼り付ける写真の枚数Δとから、使用するアルバムページ数Ｐを計算する（Ｓ９４）。決定された駒の撮影情報を検知し（Ｓ９７）、その情報に合うレイアウトパターンを決定し（Ｓ９８）、それより写真エリアの表示倍率データを読み込む（Ｓ９９）。次いで、貼り付ける枚数分の決定された駒数の画像をフィルムから読み込み（Ｓ１００）、表示倍率データに合わせ、画像の拡大又は縮小を行い（Ｓ１０１）、拡大あるいは縮小した画像をアルバム台紙の写真エリアの上に上書きする。１ページ分の駒の上書きが終了すると、そのページを表示する（Ｓ１０４）。この表示例を図４２に示す。全駒数になるまで、上記を繰り返す。
　【００４９】
　図２８、図２９はパターンモードでの駒指定Ｎｏ．２処理の後に行われるレイアウトパターン指定（上述図２２のＳ１０）のサブルーチンを示す。電子アルバムであるディスクより記録されているレイアウトパターンの総数Ｒを検知し（Ｓ１１２）、総数Ｒより一括表示の分割数Ｂ（＞Ｒ）を計算する（Ｓ１１３）。レイアウトパターンをディスクから読み込む（Ｓ１１６）。分割数に合わせた表示倍率に合わせ、レイアウトデータを拡大あるいは縮小し、レイアウトパターンを一括表示する（Ｓ１１７〜Ｓ１２３）。次に、一括表示されたレイアウトパターンのいずれかを選択するための選択枠を表示する（Ｓ１２５）。ユーザが選択枠を移動させ、使いたいレイアウトパターンを指定する（Ｓ１２６〜Ｓ１３４）。次に、指定されたレイアウトパターンをモニタ画面全面に表示し、そのパターンの写真エリアの写真数Ｑと表示倍率を検知し、フィルム画像を読み込み、表示倍率に合わせ、画像データを拡大あるいは縮小し、写真エリアに上書きする（Ｓ１３７〜Ｓ１４３）。選択した駒がなくなるまで、上記処理を繰り返す。
　【００５０】
　図３０はフリーモードにおけるレイアウト台紙指定（図２２のＳ１２）のサブルーチンを示す。電子アルバム即ちディスクに記録されているレイアウト台紙数Ｙを検知し、これより一括表示のための分割数Ｂを求める（Ｓ１６１，Ｓ１６２）。レイアウト台紙をディスクから読み込み、分割数Ｂに合わせた表示倍率に合わせ、レイアウトデータを拡大あるいは縮小し、レイアウト台紙を一括表示する（Ｓ１６５〜Ｓ１７２）。この表示例を図４４に示す。表示エリアに選択枠を表示し、ユーザが選択枠を移動させ、使いたい台紙を指定することで、指定されたレイアウト台紙がモニタ画面一杯に表示される（Ｓ１７３〜Ｓ１８３）。
　【００５１】
　図３１、図３２は上記レイアウト台紙指定処理の後に行われる駒指定Ｎｏ．３処理（図２２のＳ１３）のサブルーチンを示す。前述と同様にして、始めのテーマブロックの全駒の一括表示を行い、始めの駒の上に選択枠が表示される（Ｓ１９１〜Ｓ２０７）。駒送りスイッチを押すと、次の駒に選択枠が動く。駒戻しスイッチを押すと、一つ前の駒に選択枠が動く。これはエンドレスの順操りでも、終端そのままのどちらの処理でも構わない。確認スイッチとファイルスイッチで駒を指定する（Ｓ２０８〜Ｓ２１９）。
　【００５２】
　図３３、図３４は上記レイアウト台紙指定処理の後に行われるレイアウト指定（図２２のＳ１４）のサブルーチンを示す。前回指定された台紙をモニタ画面一杯に表示する（Ｓ２２１〜Ｓ２２４）。指定された駒のフォーマットに応じた写真枠を表示する（Ｓ２２５）。ユーザはその写真枠を移動させ、好みの大きさに調整する（Ｓ２２６〜Ｓ２３７）。確認スイッチを押し、その位置と大きさで写真を表示させる（Ｓ２３８〜Ｓ２４４）。この表示例を図４５に示す。良ければ確認スイッチを、やり直す場合は取消スイッチを押す（Ｓ２４５，Ｓ２４６）。確認スイッチを押すとメッセージが表示される（Ｓ２４７）。このメッセージ例を図４０に示す。表示されたメッセージを選択し、作業を続けたり、修正したり、終わることが可能である（Ｓ２４８〜Ｓ２５４）。
　【００５３】
　図３５は台紙色変更（図２２のＳ１５）処理のサブルーチンを示す。先ほどから作業している最初のページを表示する（Ｓ２６１〜Ｓ２６３）。取消スイッチを押すと、いくつかの色見本が一括表示される（Ｓ２６５）。その中から、自分の好みに合った台紙色を選択する（Ｓ２６６）。選択したら、そのページの台紙色が変わり、再表示される（Ｓ２６７）。以上を全ページについて行う。
　【００５４】
　図３６は作業終了確認（図２２のＳ１７）処理のサブルーチンを示す。ファイルスイッチを押すと、図４１に示すようなメッセージが表示され、さらにアルバム作りを終了する。確実に確認するために、再度、ファイルスイッチを押すと終了する（Ｓ２８１〜Ｓ２８３）。
　【００５５】
　図３７は画像レイアウトの記録処理（図２２の最終ステップ）における定型レイアウト時のフローチャートを示す。電子ファイルの記録駒数ＦＫ（新しく写真を登録したページ数になる）を検知する（Ｓ２９１）。電子ファイルに記録されている駒の後に、今回使った駒の画像データを記録し、所定の情報記録部に情報を記録する（Ｓ２９３〜Ｓ２９６）。最後のページの処理が終了するまで、上記の処理を繰り返す。
　【００５６】
　図３８は定型レイアウト以外の記録時のフローチャートを示す。テーマ毎に、ページ数と駒数を検知する（Ｓ３０１〜Ｓ３０７）。電子ファイルに記録されている駒の後に、今回アルバムに新しく作ったページに使われている駒の画像データを記録する（Ｓ３０８〜Ｓ３１１）。アルバム用記録部に情報を書き込む（Ｓ３１２）。この情報は、テーマブロック番号、ページ番号、レイアウト手法、レイアウトページ、及び、使用した駒番号の５種類（フリーモードの場合は、表示の中心位置と駒表示倍率を追加して７種類）となる。最後のページの処理が終了するまで、上記を繰り返す。
　【００５７】
　次に、本システムでの他の編集作業例として複数画像を合成する処理について説明する。図４６は合成モードの処理の概略を示すフローチャートである。合成モードは、電子アルバム装置の入力部３７あるいはフィルムプレーヤ本体のリモコン等を操作することにより設定し、このモードではモニタの編集画面上で指示を可能としておけばよい。まず、主被写体が存在するオリジナル画面をフィルムまたは画像ファイル部２８の中から選択する（ステップＥ１）。次に、オリジナル画面から抜き出した主被写体と合成する背景画面を上記と同様に選択する（Ｅ２）。上記Ｅ１で選んだオリジナル画面の中から主被写体を抽出し（Ｅ３）、上記Ｅ２で選んだ背景画面内の合成位置を決定して（Ｅ４）、実際に主被写体と背景画面との合成を行う（Ｅ５）。以下、より詳しい説明を図４７乃至図５０を用いて行う。
　【００５８】
　図４７はオリジナル画面選択（Ｅ１）の手順を示す。まず、図４９はそのときの編集画面枠を示す。まず、このような編集画面枠を表示し（Ｅ１１）、現在選択されている画面をオリジナル画面枠ｂに表示すると共に、画面インデックス表示枠ａに選択画面のインデックスを表示する（Ｅ１２）。編集画面枠は、表示用データ制御部１３から表示用データとして第２メモリ１０に書き込まれることで表示されるが、編集画面枠の表示用データは該制御部１３内にＲＯＭデータとして用意してあるか、あるいは、後述の画像ファイル部２８に記録してあって、ここからリード部３０、データセレクト部３１、端子ＴＳ６を介して該制御部１３に読み込めるようになっているものである。
　【００５９】
　画像データに関して、選択画面がフィルム２のときはＣＣＤ４、第１プロセス部５を経てフィルム画像が書き込まれた第１メモリ６から、また、選択画面が画像ファイル部２８のときは、電子アルバム装置内のリード部３０、データセレクト部３１、伸長部３２を経てファイル画像が書き込まれた第３メモリ３３から端子ＴＳ２を介して、切換部８に入力された後、演出コントロール部９にてオリジナル画面枠ｂの大きさに合うように変倍されてから同枠ｂの位置に相当する第２メモリ１０上のアドレスに画像データが書き込まれる。また、画面インデックスに関して、選択画面がフィルム２のときはフィルム２上に書かれた磁気情報から情報Ｒ／Ｗ部１２を介して、選択画面が画像ファイル部２８のときは同ファイル部２８に画像データと共に記録されている表示用データから電子アルバム装置内のリード部３０、データセレクト部３１、端子ＴＳ６を介して、表示用データ制御部１３に読み込まれた後、同制御部１３から第２プロセス部１１に文字データとして出力され、同プロセス部１１で第２メモリ１０から読み出した編集画面枠内のインデックス表示枠ａの位置にスーパーインポーズして表示される。
　【００６０】
　再び、図４７に戻って説明すると、次に、コメント枠ｄにオリジナル画面の選択を促す表示をし（Ｅ１３）、スイッチ群の状態を読み込み（Ｅ１４）、該スイッチ群の状態が変化しているかを調べ（Ｅ１５）、変化していればこれに応じて新たな画像データをフィルム２または画像ファイル部２８よりロードし（Ｅ１６）、ステップＥ１２に戻って新たに選択された画像を表示する。スイッチ群の機能は、ファイリング画像選択スイッチ・駒送りスイッチ・駒戻しスイッチ・単画面／マルチ画面切換スイッチである。Ｅ１５の判断でスイッチ群の状態に変化がないときは、Ｅ１７に進んで確認スイッチの状態を読み込み、確認スイッチがＯＦＦであればＥ１４に戻るが、確認スイッチがＯＮの時は次の処理である背景画面選択（Ｅ２）に移る。背景画面選択の手順は図示しないが、編集画面枠表示を除いてオリジナル画面選択と同様である。
　【００６１】
　背景画面選択が終了すると、オリジナル画面からの主被写体抽出（Ｅ３）を行う。この手順も図示しないが、これは、例えば、特定の色相領域抽出等による自動抽出、あるいは、ライトペン等により指示した領域を抽出する手動抽出により所望の主被写体を抽出するものである。
　【００６２】
　続く処理である背景画面上の合成位置決定（Ｅ４）及び合成処理（Ｅ５）の手順を図４８に示す。まず、図５０に示すような合成画面枠ｅを表示し（Ｅ４１）、次に、既に選択されている背景画面を同合成画面枠ｅに表示する（Ｅ４２）。枠と画像の表示方法は、上記オリジナル画面選択の際と同様である。次に、先に抽出された主被写体の形状を背景画面の中央に表示（Ｅ４３）した後、移動スイッチの状態を読み込み（Ｅ４５）、移動スイッチの状態に変化があれば、この変化状態に応じて背景画面上の主被写体の形状表示位置を変更し（Ｅ４６）、移動スイッチ状態の読み込みに戻るが、移動スイッチの状態に変化がなければ、Ｅ４７に進み、確認スイッチの状態を読み込む（Ｅ４７）。なお、ここに述べた移動スイッチとは、例えば、マウスのように平面上の位置座標を入力できるようなスイッチやパンニング用スイッチでよい。また、主被写体の形状表示については、オリジナル画面からの主被写体抽出（Ｅ３）の際に得られる主被写体の形状を表示用データ制御部１３に記憶しておき、該形状を例えば、白パターンの表示用データとして第２メモリ１０に書き込むことで表示を行うものとする。
　【００６３】
　次に、ステップＥ４８では、Ｅ４７で読み込んだ確認スイッチがＯＦＦのときはＥ４４に戻るが、確認スイッチがＯＮのときは合成位置が決定され、合成処理（Ｅ５）に移行する。合成処理では、まず、抽出主被写体の画像データを第１メモリ６もしくは第３メモリ３３から読み出し、背景画面上の合成位置決定（Ｅ４）で決定された位置に相当する第２メモリ１０上のアドレスに書き込み（Ｅ５１）、続いて、背景画面の画像データを第１メモリ６もしくは第３メモリ３３から読み出し、第２メモリ１０上の背景画面に相当するアドレスに書き込んで（Ｅ５２）、合成処理を終了する。なお、オリジナル画面、背景画面が共にフィルム２にあるとき、あるいは、両者共に画像ファイル部２８にあるときは、背景画面の画像データを新たにフィルムから第１メモリ６に、もしくは、画像ファイル部２８から第３メモリ３３にロードする必要がある。
　【００６４】
　図４６に戻って説明すると、合成処理を終えると、表示用データ制御部１３から第２プロセス部１１に文字データを出力して、できあがった合成画像を画像ファイル部２８にセーブするか否かの旨を画面にスーパーインポーズ表示して、ファイリングスイッチ又は取消スイッチの入力を待ち（Ｅ６）、ファイリングスイッチの入力がなされた際は、第２メモリ１０から端子ＴＳ１、電子アルバム装置内の圧縮部２５、ＭＩＸ部２６、ライト部２７を介して、画像データが画像ファイル部２８に書き込まれた後に（Ｅ７）、合成モードの終了か否かを判別し（Ｅ８）、取消スイッチが入力されれば、Ｅ１に戻る。
　【００６５】
　上記実施例ではフィルムプレーヤ本体はフィルム画像をファイリングするものであったが、プリント画像を電子アルバムにファイリングするものであってもよい。プリント画像を入力する際のフィルムプレーヤと電子アルバム装置の内部ブロック構成を図５１に示す。図２に示した構成と異なる部分についてのみ説明する。プリント２´を撮像する場合は、光源１からの光を反射光式にし、撮像部の構成も変更する。例えば、プリントサイズには複数の種類があり、サイズの異なるＥ判とＬ判を同一の撮像素子４で撮像する場合、撮像素子４からの出力の読み出し部分を変更する。また、プリントの装填部分もフィルム装填の場合とは構成を変更する必要がある。その他の部分はフィルムを撮像する場合と同じである。
　【００６６】
　図５２はプリント画像入力の全体のフローチャートを示す。プリントから入力する場合、プリントを１枚ずつ所定の撮像位置にセットする方法と、予め複数のプリントを特定のカセットにセットしておいて、このカセットを所定の位置にセットする方法とが考えられる。２つの方法では、入力の操作が異なる部分があるので、図５２では１枚ずつセットする方法を示した。まず、入力するプリントに対するタイトルを作成する（ステップＦ１）。各画像はこのタイトルごとに保存され、タイトルは後に画像を検索する場合などに使用される。次に、入力するプリントのサイズと縦横の構図を設定し（Ｆ２）、設定された構図を図５６に示すように表示する（Ｆ３）。この画面枠の表示で選定された入力画像の構図が確認される（Ｆ４）。次に、日付入力スイッチがＯＮの場合は、日付の入力が行われる（Ｆ５，Ｆ６）。この日付データは、前述のタイトルと同様に、後に画像データを検索する場合に使用できる。
　【００６７】
　続いて、セットされたプリント画像が入力され（Ｆ７）、その画像が表示される（Ｆ８）。入力された画像に対して、トリミングスイッチがＯＦＦであれば、表示された画像がそのまま保存され、一方、トリミングスイッチがＯＮであれば、トリミングする画像領域が指定され、トリミングされた画像が保存される（Ｆ９〜Ｆ１１）。次に、入力終了スイッチを調べ（Ｆ１２）、これがＯＦＦであれば、画像の入力を続行するが、このとき、自動的に画像番号が１つ増加する（Ｆ１３）。この画像番号は、同一のタイトルで保存されている画像の通し番号であり、各画像は、この画像番号によって管理される。次の画像を続いて入力する場合、前回と同サイズで同構図かを調べ（Ｆ１４）、前回と同じであれば、Ｆ３に戻り、新たな画面枠が表示されて画像入力が続行される。前回と異なる場合は、Ｆ２に戻り、改めてサイズと構図を設定し直してから、画像の入力を続行する。
　【００６８】
　図５３によりタイトル作成の詳細について説明する。まず、既に作成されているタイトルを画像ファイル部２８より読み出し、全てを表示する（Ｆ２１）。入力する画像は、既に作成されているタイトルに属する場合と、新しいタイトルに属する場合とが考えられる。既に作成されているタイトルに属する場合は、表示されているタイトルの中から選択する（Ｆ２３）。この際、そのタイトルに先に入力されている画像の数ＰＮが表示され（Ｆ２４）、画像番号は前述の画像番号の次の数に設定される（Ｆ２５）。一方、入力する画像が、新しいタイトルに属する場合は、タイトル名を入力する（Ｆ２６）。この際、画像番号は「１」に設定される。なお、タイトルの表示例、読み出し方法については、編集時等と同じであるので、詳細な説明は省略する。
　【００６９】
　図５４により入力するプリントの構図の選定（Ｆ２）について説明する。プリントの構図とは、Ｅ判、Ｌ判などのプリントサイズと撮影時の縦横の構図との組合わせである。まず、各サイズの選択スイッチにより、プリントサイズを選定する（Ｆ３１〜Ｆ３３）。ここでは、３種類のサイズのみを挙げているが、その他のサイズにも選択スイッチを設けることで対応可能である。また、選定方法として、画面に表示されたプリントサイズの中から、適当なサイズを選択する方法も考えられる。さらに、各サイズに対して、縦横構図の選定が行われる（Ｆ３４〜Ｆ３６）。本実施例では、入力するプリントが縦構図の場合に、ユーザが縦構図スイッチを押す場合を示すが、縦横両選択スイッチや画面表示で選択する方法も考えられる。設定されたプリント構図に合わせて、スキャン幅やスキャンスピードなど撮像部や表示用メモリの設定変更、縦横情報に応じた画像の回転等を行う（Ｆ３７）。
　【００７０】
　図５５により入力された画像のトリミング領域の指定（Ｆ１０）について説明する。まず、ライトペンやマウスなどを用いてモニタ画面上でトリミングの中心が指定される（Ｆ４１，Ｆ４２）。次に、ズームアップスイッチが押されている間、ズームアップしていく画像を表示する（Ｆ４３，Ｆ４４）。ズームアップの方法は、ズームアップスイッチが押される毎に、１ステップずつズームした画像を表示する方法もある。以上でプリント画像をファイリングする実施例説明を終える。なお、本システムは上記実施例構成に限られず、種々の変形、応用が可能であり、例えば、スチルビデオカメラで撮影した画像を電子ファイルに取り込むことも同様に可能である。
　【００７１】
　【発明の効果】
　以上のように請求項１の画像記録システム又は請求項５の画像処理装置によれば、予め記録されている画像データと撮像された画像とを上書きによって合成して１枚の画像として生成された後、圧縮して記録媒体に記録し、アルバムを作成することができるので、例えばレイアウトパターンが記録されている時にはアルバム作成が容易となり、また、風景等が記録されている時にはこれを自分で撮影した画像に合成あるいは挿入することにより、より多様化したアルバムを作成でき、アルバム作り、出来上がったアルバム鑑賞を楽しむことができる。請求項２の画像記録システム又は請求項６の画像処理装置によれば、さらに、予め記録されている画像に対する撮像された画像の位置を容易かつ任意に調節することができる。また、請求項３の画像表示システム又は請求項７の画像処理装置によれば、予め記録されている画像データと撮像された画像とを上書きによって合成して１枚の画像として生成されて表示手段に表示され、さらに圧縮して記録媒体に記録され、上記と同様の効果が得られる。請求項４の画像表示システム又は請求項８の画像処理装置によれば、さらに、予め記録されている画像に対する撮像された画像の位置を容易かつ任意に調節することができる。
【図面の簡単な説明】
　【図１】　本発明の一実施例による電子ファイリングシステムの外観図である。
　【図２】　同システムのブロック構成図である。
　【図３】　リモコンの斜視図である。
　【図４】　本システムのフィルム装填時の動作を示すフローチャートである。
　【図５】　マルチ画面表示のフローチャートである。
　【図６】　マルチ画面表示のフローチャートである。
　【図７】　アルバム情報の例を示す図である。
　【図８】　画面表示の例を示す図である。
　【図９】　画面表示の例を示す図である。
　【図１０】　画面表示の例を示す図である。
　【図１１】　アルバム編集のフローチャートである。
　【図１２】　アルバム情報ファイル選択のフローチャートである。
　【図１３】　アルバム編集表示のフローチャートである。
　【図１４】　一駒送りのフローチャートである。
　【図１５】　一駒戻しのフローチャートである。
　【図１６】　挿入処理のフローチャートである。
　【図１７】　挿入取り消し処理のフローチャートである。
　【図１８】　アルバム情報ファイルのセーブのフローチャートである。
　【図１９】　アルバム選択表示の例を示す図である。
　【図２０】　アルバム編集表示の例を示す図である。
　【図２１】　アルバム情報ファイルの例を示す図である。
　【図２２】　本システムで画像嵌め込みを行う場合のフローチャートである。
　【図２３】　画像嵌め込みにおける定型レイアウトページ指定のフローチャートである。
　【図２４】　定型レイアウトでの駒指定のフローチャートである。
　【図２５】　オートモードでの駒指定のフローチャートである。
　【図２６】　オートモードでの駒指定のフローチャートである。
　【図２７】　パターンモードでのレイアウトページ計算のフローチャートである。
　【図２８】　レイアウトパターン指定のフローチャートである。
　【図２９】　レイアウトパターン指定のフローチャートである。
　【図３０】　フリーモードでのレイアウト台紙指定のフローチャートである。
　【図３１】　フリーモードでの駒指定のフローチャートである。
　【図３２】　フリーモードでの駒指定のフローチャートである。
　【図３３】　フリーモードでのレイアウト指定のフローチャートである。
　【図３４】　フリーモードでのレイアウト指定のフローチャートである。
　【図３５】　台紙色変更のフローチャートである。
　【図３６】　作業終了確認のフローチャートである。
　【図３７】　定型レイアウト時の記録のフローチャートである。
　【図３８】　定型レイアウト以外の記録のフローチャートである。
　【図３９】　メッセージ表示画面の例を示す図である。
　【図４０】　メッセージ表示画面の例を示す図である。
　【図４１】　メッセージ表示画面の例を示す図である。
　【図４２】　定型レイアウトの例を示す図である。
　【図４３】　レイアウトパターンの例を示す図である。
　【図４４】　レイアウト台紙の例を示す図である。
　【図４５】　フリーレイアウトの例を示す図である。
　【図４６】　本システムでの合成モード時のフローチャートである。
　【図４７】　合成モードにおけるオリジナル画面選択のフローチャートである。
　【図４８】　背景画面上の合成位置決定のフローチャートである。
　【図４９】　合成モード時の編集画面の例を示す図である。
　【図５０】　合成モード時の画面の例を示す図である。
　【図５１】　本システムの他の実施例を示すブロック構成図である。
　【図５２】　プリント画像入力のフローチャートである。
　【図５３】　タイトル作成のフローチャートである。
　【図５４】　プリント構図選定のフローチャートである。
　【図５５】　トリミング領域指定のフローチャートである。
　【図５６】　画面枠表示例を示す図である。
　【図５７】　フィルムの画像領域と情報記録領域を示す図である。
　【符号の説明】
　２　フィルム
　４　撮像素子
　１２　情報リード／ライト部
　２７　ライト部
　２８　画像ファイル部（記録媒体）
　３０　リード部
　５１　フィルムプレーヤ本体
　５２　フィルムカートリッジ
　５３　光ディスク
　５４　電子アルバム装置
　５５　モニタ